(57)【要約】      （修正有）【課題】リフィールの前後動係止操作をなすスライダーの、前後摺動を極力制限されないようにしつつもスライダーの横ブレを防止し、スライダーの係止や他スライダーの操作による係止解除が確実になされる多芯筆記具を提供する。【解決手段】スライダー６の軸筒の中心方向への移動規制を、軸筒の中心から放射状に配置した隣り合った２つの傾斜壁面に対してスライダーの２つの周接壁が当接することによりなす。【選択図】図１４
2018144397.tif 000002
【特許請求の範囲】
【請求項１】
スライダーと接続されたリフィールを軸筒内に複数収容し、軸筒の窓孔からスライダーを突出させてリフィールの先端に有するペン先の軸筒の開口部からの出没操作を可能とすると共に、スライダーの前進時に、軸筒の中心方向に変位することによって軸筒の係止部にスライダーを係止させて、ペン先の突出状態を維持する多芯筆記具において、前記スライダーの軸筒の中心方向への移動規制を、軸筒の中心から放射状に配置した隣り合った２つの傾斜壁面に対してスライダーの２つの周接壁が当接することによりなす多芯筆記具。
【発明の詳細な説明】
【技術分野】
【０００１】
本発明は、スライダーと接続されたリフィールを軸筒内に複数収容し、軸筒の窓孔からスライダーを突出させてリフィールの先端に有するペン先の軸筒の開口部からの出没操作を可能とすると共に、スライダーの前進時に、軸筒の中心方向に変位することによって軸筒の係止部にスライダーを係止させて、ペン先の突出状態を維持する多芯筆記具に関する。
【背景技術】
【０００２】
特許文献１に記載されているような、複数の筆記体を備える多芯式筆記具は、軸筒本体の後方に軸心に沿った方向に開口した複数の切欠窓へ摺動可能に配置され、筆記体の後方部に連結して一体とした摺動部材の前後移動によって、軸筒本体の先端開口部から筆記体の先端部が突出したり没入したりする。
前記摺動部材が前方にスライドすると、摺動部材は後軸の内面に形成した係止受部に係止し、筆記体の先端部を突出した状態となる。
１つの筆記体の先端部が突出した状態から没入した状態へするには、後方位置にある別の摺動部材をユーザが前方に向かってスライドさせると、その別の摺動部材に形成した係止解除突起により、係止受部に係止してある摺動部材の係止突起を解除して、筆記体の先端部を没入させる。
【先行技術文献】
【特許文献】
【０００３】
【特許文献１】特開２０１１−９３１７２号公報
【発明の概要】
【発明が解決しようとする課題】
【０００４】
特許文献１に記載の発明は、摺動部材の突部を切欠窓の縁によって軸筒周方向（横方向）の移動規制をしているが、摺動部材の摺動を円滑になすためには、多少なりとも部材間に隙間を形成しなくてはならず、摺動部材の横方向のブレが必ず生まれるものであった。摺動部材の横方向の位置がずれると、筆記体の先端部を突出操作する際の係止が上手くいかなかったり、他の摺動部材の前進時に筆記体の先端部を突出状態としている摺動部材と上手く当接せず、係止が解除されずに所望の筆記体を突出させにくかったりするなどの問題が起こりえるものであった。
【課題を解決するための手段】
【０００５】
そこで本発明は、スライダーと接続されたリフィールを軸筒内に複数収容し、軸筒の窓孔からスライダーを突出させてリフィールの先端に有するペン先の軸筒の開口部からの出没操作を可能にすると共に、スライダーの前進時に、軸筒の中心方向に変位することによって軸筒の係止部にスライダーを係止させて、ペン先の突出状態を維持する多芯筆記具において、前記スライダーの軸筒の中心方向への移動規制を、軸筒の中心から放射状に配置した隣り合った２つの傾斜壁面に対してスライダーの２つの周接壁が当接することによりなす多芯筆記具を要旨とするものである。
【発明の効果】
【０００６】
本願の多芯式筆記具は、リフィールの前後動係止操作をなすスライダーの、周方向（横方向）の移動規制を、軸筒中心方向への押し込み可能位置を規制する放射状の傾斜壁にて左右から挟まれるように複数位置にてなしたので、Ｖ字状の部分にて押さえられ、前後摺動を極力制限されないようにしつつもスライダーの横ブレを防止したので、スライダーの係止や他スライダーの操作による係止解除が確実になされるものである。
【図面の簡単な説明】
【０００７】
【図１】実施例の構成を示す正面図
【図２】実施例のＡ−Ａ断面図
【図３】実施例の後軸の正面図
【図４】図３のＢ−Ｂ断面図
【図５】実施例のスライダー６を側面から見た図
【図６】図５の斜視図
【図７】実施例のクリップスライダー７を側面から見た図
【図８】図７の斜視図
【図９】実施例の摺動ケースの正面図
【図１０】実施例の摺動ケースを前方（Ｃ方向）から見た図
【図１１】実施例の摺動ケースの斜視図
【図１２】図２のクリップスライダーが前進し、係止した状態。
【図１３】図１３のＤ−Ｄ断面図
【図１４】図１２の後軸を省略した斜視図
【発明を実施するための形態】
【０００８】
本発明は軸筒内に円周状に複数のリフィールを収容し、そのリフィールから任意に選択した１本のリフィールを前進させ、そのリフィールのペン先を前記軸筒の先端に有する開口部から突出した状態で係止させることで筆記可能となる多芯筆記具に関するものである。
前記リフィールの後端にはスライダーが設けられている。そのスライダーには、軸筒の外周面にリフィールの本数と同じ数だけ設けられ軸筒の軸心方向に伸びる窓孔から外部に露出する操作部が形成されている。この操作部を前方に押す事でスライダーと共にリフィールが前方に移動することになる。なお、この操作部は、押しやすいように指との接触部分を曲面で形成したりすると良いが、その形状は押圧出来れば特に限定されるものではない。また、操作部とクリップを一体に形成したり、別部材で内部に弾撥部材を配置し、洗濯ばさみのように押圧操作によって先端を開けたり閉じたりできるバインダー式のクリップからなる操作部としても良い。前記スライダーは、主にポリオキシメチレン（ＰＯＭ）などのポリアセタール樹脂や、アクリロニトリルブタジエンスチレン樹脂（ＡＢＳ）、アクリロニトリルスチレン樹脂（ＡＳ）、ポリカーボネート樹脂（ＰＣ）といった樹脂材質からなるが、これに限るものではない。
【０００９】
スライダーとリフィールを着脱自在な嵌合状態とすることで、例えばペン先がボールペンで構成されたリフィール内に収容されたインキが無くなった際のリフィール交換や、好みのインキが収容されたリフィールへの交換、ペン先がシャープペンシルで構成されたリフィールへの交換などを行う事ができる。なお、シャープペンシルで構成されたリフィールが収容可能な多芯筆記具とする際は、芯を繰り出す事ためのノック操作が可能な構成とする必要がある。例えば、前進し係止した状態で前記スライダーの操作部をさらに前方へ押すことでノック動作を可能にしても良く、また、軸筒内にスライダーの後方に配置され前後に摺動可能な摺動部材を配置し、前進し係止した状態でその摺動部材を前方に押す事でノック操作を可能としても良い。また、ノック操作が可能であれば、これらの方法に限定されるものではない。
リフィールを交換可能とするために、軸筒を前方と後方で分割し、ねじ螺合や嵌合といった構造によって着脱可能としても良く、また、軸筒からリフィールを取り出す事が可能であれば、その方法は特に限定されない。リフィールだけ交換可能な方法だけで無く、リフィールとスライダーを一体とした状態で、リフィールとスライダーの両方を同時に交換可能としても良い。
【００１０】
軸筒内に配置され、前後に収縮可能な弾撥部材によって、リフィールおよびスライダーは後方に付勢されているため、リフィールが突出された状態での係止が解除されると、その付勢力によって、リフィールおよびスライダーは後方に移動し、リフィールのペン先は没入状態となる。
本発明の多芯筆記具は、スライダーを押してリフィールを前進させると、前記スライダーは軸筒の中心方向に変位し、そのスライダーに形成されている係止部が軸筒内に設けられた係止部に係止することで係止状態となる。係止を解除する際は、係止状態のリフィール以外の他のリフィールのスライダーを前方へ押す事で、他のリフィールのスライダーに形成された解除突起が、係止状態のスライダーに形成された被解除突起に接触し、係止状態のスライダーを軸筒の外径方向に変位させることで係止解除を行う事ができる。係止が解除されると、前記弾撥部材によって、係止状態だったリフィールおよびスライダーは、後方に移動し、係止前の状態に戻ることになる。
前記被解除突起と解除突起は、そのどちらか一方、もしくは、その両方に傾斜面を形成することで、被解除突起に解除突起が接触した際の接触抵抗を減らす事ができるため、より良い解除操作を行う事ができる。
【００１１】
本発明では、前述のとおり、スライダーを押してリフィールを前進させると、前記スライダーは軸筒の中心方向に変位するが、その変位を適度な位置に規制するために、軸筒の内部には、軸筒の中心から放射状に傾斜壁面が配置されている。また、スライダーには、左右に向かい合う２つの周接壁が形成されている。前記隣り合った２つの傾斜壁面により、２つの傾斜壁面の間の距離は軸筒の中心方向へ行くに従い狭くなるテーパ形状（Ｖ字状）となっており、この２つの傾斜壁面によって形成されるテーパ形状の数は、円周状に配置されるスライダーの数と同じ数だけ設けられ、それぞれが軸筒の中心に向かう直線上で向かい合うように配置される。そして、前記スライダーが軸筒の中心方向に変位した際に、前記２つの傾斜壁面とスライダーの２つの周接壁がそれぞれ当接することにより、前記スライダーが前記２つの傾斜壁面によって両側から挟まれることになり、係止時のスライダーの横ブレが防止される。そのため、他のスライダーを前進させて係止状態のスライダーの被解除突起に解除突起を接触させる際に、係止状態のスライダーの被解除突起が横に逃げず、確実に接触するため、スライダーの係止や他スライダーの操作による係止解除が確実になされるものである。
前記２つの傾斜壁面のテーパ形状（Ｖ字状）に対して、前記２つの周接壁の間の距離も軸筒の中心方向へ行くに従い狭くなるテーパ形状とすることで、当接箇所まで案内されやすくなっているが、２つの傾斜壁面の間に挟まれる形状であれば、２つの周接壁は、互いに平行に向き合う面や曲面で形成された面で形成されていても良く、特に限定されるものではない。また、２つの傾斜壁面の間に挟まれる形状であれば、２つの周接壁との接触は点接触でも、面接触でも良く、特に限定されるものではない。
前記傾斜壁面は、軸筒に一体に形成したり、前述の摺動部材に形成しても良く、その場所は特に限定されるものではない。
【実施例】
【００１２】
最良な構成の１例（実施例１）を説明する。
なお、以降の説明において、前方とはペン先側方向を指し、後方とはクリップが取り付けられている側方向を指す。
【００１３】
軸筒１は、図１〜２に示すように、前軸２と後軸３、摺動ケース４により構成されている。前記前軸２は螺合などの手段により後軸３に取り付けられており、前記後軸３の後端部には摺動ケース４が圧入などの手段によって取り付けられている。軸筒１を構成する前軸２と後軸３、摺動ケース４は各々、ポリカーボネート樹脂（ＰＣ）や、アクリロニトリルブタジエンスチレン樹脂（ＡＢＳ）、アクリロニトリルスチレン樹脂（ＡＳ）、ポリオキシメチレン（ＰＯＭ）などのポリアセタール樹脂といった樹脂材質からなるが、これに限るものではない。
【００１４】
前記前軸２の前端には、リフィール５の筆記部が出没する開口部２ａが形成されている。
また、前記前軸２は透明な材質から構成されており、内部のリフィール５を、前軸２を通して識別可能としている。リフィール５の樹脂パイプ５ａは着色、もしくは転写印刷などにより、内部のインキ５ｂと近似した色に着色されており、使用するリフィールを使用者の外観からの識別を可能としている。
さらに、前記前軸２は内部のリフィール５の視認性やデザイン性を考慮し、一部品で構成されているが、ゴム状弾性体からなるグリップを挿着したり、二色成形、或いは、多色成形といった手段などにより前軸２にゴム状弾性体からなるグリップを被覆しても良い。
ゴム状弾性体からなるグリップを挿着、被覆することにより、グリップ感が増し、書きやすさ、疲れにくさが増すのである。
【００１５】
後軸３は円柱形状をしており、図１や図２に示すとおり、表面に突出部などは設けていない。即ち、平滑な表面状態を形成している。これは後軸３の加飾性向上の為であり、全周に転写印刷を施すことが出来るようになっている。さらに前記後軸３には、図１〜図４に示すとおり、その長手方向に５個の窓孔３ａが形成されている。本例においては、５個の窓孔３ａが形成されているが、リフィール５の合計数が５本であるためであり、この本数によって窓孔３ａの形成する数も変わるものである。
スライダー６及びクリップスライダー７は後軸３の後端より挿入され、後軸３内を通り、窓孔３ａに入り込むことで組み立てられる。
前記後軸３の窓孔３ａには、前記スライダー６及びクリップスライダー７が前後移動可能に配置されている。
後軸３は、着色半透明な材質から構成されている。リフィール５をスライダー６及びクリップスライダー７に対して着脱する際、即ち、リフィール５を交換する際、その着脱部５ｃの視認性が良好なものとなり、容易に着脱作業を行うことができるようになる。また、後軸３は、円筒状であるが故に、その曲面のレンズ作用により、前記着脱部５ｃが拡大・大径化され、さらに容易に着脱作業を行うことができるようになる。
【００１６】
前記スライダー６（図５〜６参照）およびクリップスライダー７（図７〜８参照）について説明する。
尚、前記クリップスライダー７は、前記スライダー６の操作部にクリップが一体になっている以外は、基本的な構成はスライダー６と同様であるため、特に断りがなければスライダー６として説明し、図の参照符号も共通としている。
前記スライダー６は前記後軸３の長手方向に延びる略棒状体であり、前記後軸３に挿入された状態で後軸３の外面方向を上方、後軸３の軸心に向かう径方向を下方としたとき、スライダー６の軸筒中心側には、下方に突出し、かつ、長手方向に延設された突起６ａが形成されている。その突起６ａの前方には、突起６ａの下端から前方に向かいながら上方に傾斜した傾斜面６ｂからなる解除突起６ｃが形成されている。
また、前記突起６ａの後端には、突起６ａの下端から後方に向かいながら上方に傾斜した傾斜面が形成されており、かつ、その傾斜面は、突起６ａの後端の両側面から後方、かつ、内側に向かって傾斜する２つの傾斜面６ｄから形成されている。この２つの傾斜面６ｄからなる突起を被解除突起６ｅとする。さらにスライダー６の後方には、スライダー６の前方（スライダー前方部６ｆ）より幅が狭く、かつ、長手方向に延びたスライダー後方部６ｇが形成されている。スライダー前方部６ｆとスライダー後方部６ｇとは幅が異なるため段部が形成されている。そして、その段部によって形成される面（スライダー前方部後端面６ｈ）には、後方へ突出し、側面が三角形状の係止突起６ｉが前記スライダー後方部６ｇの両側に配置されている。また、スライダー６はスライダー後方部６ｇの上方からスライダー前方部６ｆの上方に架けて、スライダー６を窓孔３ａに沿って前後に移動させる操作を行うために窓孔３ａより外方に突出した操作部６ｊが形成されている。この操作部６ｊは単に略円弧状の側面形状をした突起からなりスライダーを操作するだけのものと、操作に加えてクリップとしての役割を果たすためにクリップが一体に形成されたものがあり、本実施例においては、５つのスライダーの内４つが操作するためだけの突起が形成されたスライダーで、残りの１つがクリップ７ａと一体に形成されたスライダー（クリップスライダー７とする）が設けられている。
【００１７】
図１〜２に示すとおり、摺動ケース４は、後軸３の後端部に取り付けられており、その外周の表面上には、後軸３との係合用の係合突起４ａが設けられている。その係合突起４ａは、後軸３の外周の表面に設けられた窓孔３ａの後端部に係合される。この係合状態において、摺動ケース４の前半部４ｂは後軸３の後端内部に配置され、一方、摺動ケース４の後半部分は後軸３の後端開口部３ｃから突出する。その突出した摺動ケース４の後半部分をノック部４ｃとし、ノック作動により摺動ケース４全体が、後軸３に対して前後に摺動する。
摺動ケース４の前半部４ｂの前方部分には円周状に等間隔に形成された梁状の区画壁４ｄと、その区画壁４ｄの下方に配置され、前記ノック部４ｃの内部から区画壁４ｄの前方に延設された突起からなる延設突起４ｅが形成されている。延設突起４ｅの先端には、内径方向に向かい、かつ、後方に傾斜する傾斜面４ｆからなる係止突起４ｇが形成されている。
円周状に等間隔に配置された延設突起４ｅの下には、摺動ケース４の中心から各延設突起４ｅの下方に向かって延設され、かつ、長手方向に延設された板状の部材が形成されており、この板状の部材は、摺動ケース４の前方から見た際（図１０参照）、放射状に配置されており、隣り合う板状の部材によってＶ字状の溝になっている。本実施例では、このＶ字状で長手方向に延設された溝をレール部４ｈとし、このＶ字の溝を形成する内側の傾斜面を傾斜壁面４ｉとする。
【００１８】
図２や図５〜８に示すとおり、前記スライダー６の前端部には、コイルスプリングからなる弾撥部材８の後端部が当接する鍔部６ｋが形成されている。
前記後軸３の中間部には、図２や図４に示すとおり、規制部３ｄが形成されており、その規制部３ｄには、リフィール５が遊挿する５つの貫通孔３ｅが形成されており、前記規制部３ｄに前記弾撥部材８の一端を係止させることにより、リフィール５に接続するスライダー６を後方に付勢している。
【００１９】
前記弾撥部材８によって後方に付勢されている前記スライダー６は、前記後軸の窓孔３ａに沿って前後に摺動すると共に、前記摺動ケース４の隣り合う区画壁４ｄの間を前後に摺動する。前記スライダー６の前方には、ポールペンリフィールや、シャープ芯の繰出しが可能なシャープユニット等のリフィールが着脱可能に取付けられており、スライダー６の前後の摺動に伴い、一緒に前後に摺動する。
前記スライダーの突起６ａの下方には、その突起の両側からそれぞれ下方に向かって傾斜する面からなるテーパ部６ｌが形成されている。このテーパ部６ｌの傾斜面の角度は、前記レール部４ｈのＶ字の傾斜壁面４ｉの角度と同程度となっているため、スライダー６が前進し、係止突起４ｇに係止されるまでの間、突起６ａの下方に形成された傾斜面は、前記レール部４ｈの傾斜壁面４ｉに沿って移動する。
図１２〜１４に示すとおり、使用者が前記後軸３の窓孔３ａより外方に突出した操作部６ｊを前方に押すことでスライダー６を前進させると、前述したスライダー６の突起６ａの下方に形成されたテーパ部６ｌは、前記レール部４ｈの傾斜壁面４ｉより前方に移動するため、レール部４ｈから外れる。さらに、スライダー６の前方に取り付いているリフィール５が前記貫通孔３ｅによって軸心方向への移動を規制されているため、スライダーの前方を支点とするようにしてスライダー６の後方は軸心方向へ落ち込む。これにより、スライダー６のスライダー後方部６ｇの両側に形成された２つの係止突起６ｉが、摺動ケース４の延設突起４ｅの先端に形成された係止突起４ｇにそれぞれ係止される。この瞬間に、リフィール５の筆記部が前軸２の開口部２ａから突出し、筆記可能となる。
また、前記リフィール５の先端部の突出状態において、後方に位置している他のスライダー６を前進させると、その前進したスライダー６の解除突起６ｃが、係止しているスライダー６の被解除突起６ｅに接触し、係止していたスライダー６が径方向外向きに移動することで、前記係止突起６ｉが前記摺動ケース４の係止突起４ｇの傾斜面４ｆを乗り越え、係止が解除され、その瞬間に後軸内に配置された弾撥部材８の弾撥力によりスライダー６が後方へ移動し、リフィール５の先端部が没状態になるのである。
【００２０】
使用者がスライダー６を前進させて係止した際に、前記スライダー６の後方の軸心方向へ落ち込み量を規制するために、前記スライダー６のスライダー後方部６ｇが、前記摺動ケース４の隣り合う延設突起４ｅの間を連結し形成されたレール部４ｈと接触するようになっている。さらに詳細に説明すると、前記スライダー後方部６ｇの両側面の下端部には上方から下方に向かって内側に傾斜する面取り部分（周接壁６ｍ）が形成されている。この２つの周接壁６ｍが前記レール部４ｈの傾斜壁面４ｉに挟み込まれるように接触している。前記スライダー６は横方向の位置がずれると、リフィールを突出操作する際の係合が上手くいかなかったり、他ノック部材の前進時にリフィールの係止解除を行う際の被解除突起と解除突起が上手く当接せず、係合が解除されずに所望のリフィールを突出させにくかったりするなどの問題が起こりえる。前記スライダー６は前進し、係止した状態で操作部６ｊが前記後軸３の窓孔３ａの間に配置されているため、操作部６ｊの両側に壁が存在することになり、この壁で操作部６ｊをはさみこむ事によりスライダー６の軸筒周方向（横方向）の位置のずれを規制しているが、ノック部材の摺動を円滑になすためには、多少なりとも部材間に隙間を形成しなくてはならず、ノック部材の横方向のブレが生まれるものである。これに対して、本実施例では、前述の通り、２つの周接壁６ｍが前記レール部４ｈの傾斜壁面４ｉに挟み込まれるように接触しているため、ノック部材の横方向の位置のずれを防止したので、ノック部材の係合や他ノック部材の操作による係合解除が確実になされるものである。
また、前記スライダー６が前進し、係止した状態で、前述の前記スライダー６のスライダー後方部６ｇが、前記摺動ケース４の隣り合う延設突起４ｅの間を連結し形成されたレール部４ｈと接触する前に、別の場所でスライダー６と摺動ケース４が接触してしまうと、スライダー後方部６ｇが正しい位置まで落ち込まない恐れがある。そのため、前記操作部６ｊの下方で、かつ、前記スライダー後方部６ｇの両側に形成された操作部下面６ｎは、前記隣り合う延設突起４ｅの上方部に対してそれぞれ向い合って配置され、かつ、前記操作部下面６ｎと延設突起４ｅの上方部の間に隙間を設けて配置されるようになっている。これにより、前進したスライダー６の被解除突起６ｅと、その他のスライダーの解除突起６ｃの距離が一定に保たれ、確実に係止解除を行うことが出来る。
【００２１】
前述のとおり、使用者が前記スライダー６を前進させると、スライダー６の前方に取り付いているリフィール５が前記貫通孔３ｅによって軸心方向への移動を規制されているため、スライダー６の前方を支点とするようにしてスライダー６の後方が軸心方向へ落ち込むことになる。つまり、スライダーの後方に行くほど前記スライダー６の係止・解除を行う際のスライダーの上下の移動量は大きくなる。そのため、本実施例では係止解除を行う際に、より確実にスライダーの係止突起６ｉが係止突起４ｇの傾斜面４ｆを乗り越えるように、前記被解除突起６ｅの位置は前記係止突起６ｉの下方付近に設けている。これにより、前進しているスライダーの係止を解除するために他のスライダーを前進させた際に、係止していたスライダーが径方向外向きに移動する移動量が大きくなり、係止の解除がしやすくなる。
【００２２】
前記スライダー６の操作部下面６ｎは、前方から後方に行くにしたがって上方に傾斜している。これは、前記スライダー６が前進した際に、その後方が軸心方向へ落ち込む事で、スライダー全体が後方に行くに従って下方に向かって傾斜するが、前記スライダーが傾斜し、前記摺動ケース４に係止した際に、前記操作部下面６ｎと前記摺動ケース４の延設突起４ｅの上方部の隙間が平行、もしくは、隙間の前方より後方の方が広い隙間を形成して向き合うようにし、より確実に前記操作部下面６ｎと延設突起４ｅの上方部の間に隙間を設ける事ができる。
【００２３】
実施例１において、前記スライダー６の前端には長手方向に孔６ｏが形成されており、リフィール５の後端部に取り付けられた着脱部５ｃを前記孔６ｏに差し込むことが出来る。これにより、使用者は好みのリフィール５に簡単に着脱し、交換することができるのである。
尚、前記リフィール５としては、ボールペンリフィールや、シャープ芯の繰出しが可能なシャープユニット等から適宜選択できる。また、リフィール５としてボールペンリフィールを選択した場合、樹脂パイプ（インキ収容管）を着色、もしくは転写印刷などにより、内部のインキと近似した色に着色し、使用者の外観からの識別を可能とすることもできる。
また、前記スライダー６は、不透明な材質で形成されているが、透明、或いは、着色された半透明な材質で形成しても良い。透明にすることにより、リフィール５の後端に取り付けた着脱部５ｃを、スライダー６を通して視認することができ、使用者のリフィール識別が可能となる。さらには、スライダー６の奥行き感が発生し、より一層、美観が向上する。
【００２４】
本実施例は、前述のとおり、リフィール５の本数が５本となっている。リフィール５の本数が増えると内部に収容するスライダー６や弾撥部材８などの部品も増え、その分前記後軸３や前記摺動ケース４の外径も大きくなる。リフィール５の本数が増えても出来る限り外径を小さくしようとすれば、その分隣り合うリフィール５やスライダー６同士の隙間が小さくなり、前進して係止していたスライダー６が隣のスライダー６の干渉によって係止が解除されてしまい易くなるという恐れがある。
そこで、本実施例では、前記スライダー６及び前記クリップスライダーのスライダー前方部６ｆの両側面に、長手方向に延びる切欠き６ｐを形成している。これにより、前進して係止している前記スライダー６、及び、クリップスライダー７に隣り合うスライダーの側面との干渉を減らすことができる。
【００２５】
前記軸筒１の摺動ケース４の後端面には着脱孔４ｊが設けられており、イヤフォンジャックアクセサリーなどの装飾部品や、機能をもった部品、例えば、消しゴムや蛍光ペン、修正具などを着脱自在に取り付けることが可能となっている。
【符号の説明】
【００２６】
１      軸筒
２      前軸
２ａ    開口部
３      後軸
３ａ    窓孔
３ｂ    閉鎖部
３ｃ    後端開口部
３ｄ    規制部
３ｅ    貫通孔
４      摺動ケース
４ａ    係合突起
４ｂ    前半部
４ｃ    ノック部
４ｄ    区画壁
４ｅ    延設突起
４ｆ    傾斜面
４ｇ    係止突起
４ｈ    レール部
４ｉ    傾斜壁面
４ｊ    着脱孔
５      リフィール
５ａ    樹脂パイプ
５ｂ    インキ
５ｃ    着脱部
６      スライダー
６ａ    突起
６ｂ    傾斜面
６ｃ    解除突起
６ｄ    傾斜面
６ｅ    被解除突起
６ｆ    スライダー前方部
６ｇ    スライダー後方部
６ｈ    スライダー前方部後端面
６ｉ    係止突起
６ｊ    操作部
６ｋ    鍔部
６ｌ    テーパ部
６ｍ    周接壁
６ｎ    操作部下面
６ｏ    孔
６ｐ    切欠き
７      クリップスライダー
７ａ    クリップ
８      弾撥部材
【図１】
2018144397.tif 000003
【図２】
2018144397.tif 000004
【図３】
2018144397.tif 000005
【図４】
2018144397.tif 000006
【図５】
2018144397.tif 000007
【図６】
2018144397.tif 000008
【図７】
2018144397.tif 000009
【図８】
2018144397.tif 000010
【図９】
2018144397.tif 000011
【図１０】
2018144397.tif 000012
【図１１】
2018144397.tif 000013
【図１２】
2018144397.tif 000014
【図１３】
2018144397.tif 000015
【図１４】
2018144397.tif 000016